(57)【特許請求の範囲】
【請求項１】
湯水を貯湯する貯湯タンクと、該貯湯タンクを支持する複数のタンク支持脚と、該タンク支持脚の下部であって前記タンク支持脚に対応する位置に複数設けられ前記貯湯タンクを固定するタンク固定脚とを備え、前記タンク支持脚側から挿通するボルトと、前記タンク固定脚に組付けられたナットとで締結することにより前記貯湯タンクを固定する貯湯装置において、前記ナットは、円筒状のナット部と、前記ナット部よりも大径の座部とを備えた座付ナットで構成し、前記タンク固定脚は、その上部に前記貯湯タンクを固定し前記ボルトを挿通するためのボルト挿通穴が形成されたタンク固定面を有し、該タンク固定面の裏面には、少なくとも前記ボルト挿通穴を挟むように対面したビードを下方に突設して形成し、このビードの内側であって、前記ボルト挿通穴に対応する位置に前記座部側を前記タンク固定面の裏面に当接させるように前記座付ナットを配置して、前記ビードを押し潰して前記座付ナットを挟み込んで固定し、前記座付ナットを前記タンク固定脚に組付けたことを特徴とする貯湯装置。
【請求項２】
前記ビードは、前記座付ナットに接触する側が肉厚になるように押し潰すようにしたことを特徴とする請求項１記載の貯湯装置。
【請求項３】
前記座部は、その外周に直線形状の少なくとも１対の直線部を有し、前記ビードは前記直線部を挟み込んで固定するようにしたことを特徴とする請求項１または２記載の貯湯装置。
【発明の詳細な説明】
【技術分野】
【０００１】
この発明は、湯水を貯湯する貯湯タンクを有する貯湯装置において、貯湯タンクを固定すると共に、設置面に固定されるタンク固定脚の構造に関するものである。
【背景技術】
【０００２】
従来この種の貯湯装置においては、特許文献１に開示されたものがあり、これを図８〜１１に基づいて説明する。
１０１は貯湯タンクユニット、１０２は貯湯タンクユニット１０１内部に設けられ湯水を貯湯する貯湯タンク、１０３は貯湯タンクユニット１０１の筐体を構成する底板、１０４は貯湯タンク１０２を複数箇所で支持し底板１０３に固定するタンク支持脚、１０５は底板１０３の下部であってタンク支持脚１０４に対応する位置に複数設けられ、その上部で貯湯タンク１０２を固定すると共に、その底部で地面等の設置面と固定されるタンク固定脚である。前記タンク支持脚１０４と前記タンク固定脚１０５とは、タンク支持脚１０４の下面とタンク固定脚１０５の上面との間に底板１０３を挟んで、ボルト１０６と圧入ナット１０７で締結されているものである。
【０００３】
ここで、タンク固定脚１０５及び圧入ナット１０７は、屋外設置に対応する耐食性確保のために各々表面処理が施されており、図１０に示すように、圧入ナット１０７はタンク固定脚１０５上部に設けられたボルト挿通穴１０８に対して、表面処理を傷めないよう溶接加工はせずに圧入によって組付けられていた。
【先行技術文献】
【特許文献】
【０００４】
【特許文献１】特開２００４−２９３９６９号公報
【発明の概要】
【発明が解決しようとする課題】
【０００５】
ところで、この従来のものは、図１１に示すように、圧入ナット１０７が固定される面に対して、圧入ナット１０７の接する座面が小さく、鉛直方向の力に対して圧入ナット１０７が抜けやすく、また回転方向に対しても回りやすいものであり、強度面を向上させる上で未だ改善の余地があった。
【課題を解決するための手段】
【０００６】
この発明は上記課題を解決するために、特に請求項１ではその構成を、湯水を貯湯する貯湯タンクと、該貯湯タンクを支持する複数のタンク支持脚と、該タンク支持脚の下部であって前記タンク支持脚に対応する位置に複数設けられ前記貯湯タンクを固定するタンク固定脚とを備え、前記タンク支持脚側から挿通するボルトと、前記タンク固定脚に組付けられたナットとで締結することにより前記貯湯タンクを固定する貯湯装置において、前記ナットは、円筒状のナット部と、前記ナット部よりも大径の座部とを備えた座付ナットで構成し、前記タンク固定脚は、その上部に前記貯湯タンクを固定し前記ボルトを挿通するためのボルト挿通穴が形成されたタンク固定面を有し、該タンク固定面の裏面には、少なくとも前記ボルト挿通穴を挟むように対面したビードを下方に突設して形成し、このビードの内側であって、前記ボルト挿通穴に対応する位置に前記座部側を前記タンク固定面の裏面に当接させるように前記座付ナットを配置して、前記ビードを押し潰して前記座付ナットを挟み込んで固定し、前記座付ナットを前記タンク固定脚に組付けたものとした。
【０００７】
また、請求項２では、前記ビードは、前記座付ナットに接触する側が肉厚になるように押し潰すものとした。
【０００８】
また、請求項３では、前記座部は、その外周に直線形状の少なくとも１対の直線部を有し、前記ビードは前記直線部を挟み込んで固定するものとした。
【発明の効果】
【０００９】
この発明の請求項１によれば、タンク固定脚に組付けるナットとして座付ナットを用いて、ビードを押し潰して座付ナットを固定したことで、タンク固定脚のタンク固定面の裏面に密着する座面が大きく、抜けに対する強度を増加させることができ、タンク固定脚に固定される貯湯タンクの地震等による揺れに対する安全性及び安定性を向上させることができるものである。
【００１０】
また、請求項２によれば、ビードは、座付ナットに接触する側が肉厚になるように押し潰したことで、ビードのより多くの面を座付ナットに密着させることができ、より強固に座付ナットを固定でき、強度を増加させることができるものである。
【００１１】
また、請求項３によれば、座部は、その外周に直線形状の少なくとも１対の直線部を有し、ビードは前記直線部を挟み込んで固定するので、回転方向に対する強度を増加させることができ、より強固に座付ナットを固定することができるものである。
【図面の簡単な説明】
【００１２】
【図１】この発明の一実施形態の貯湯装置の正面図。
【図２】同一実施形態の貯湯装置のＢ−Ｂ’断面図。
【図３】同一実施形態の要部分解斜視図。
【図４】同一実施形態の座付ナットを示す図。
【図５】同一実施形態のタンク固定脚断面図。
【図６】同一実施形態のタンク固定脚のＣ−Ｃ’断面図。
【図７】同一実施形態のタンク固定脚に座付ナットを組付ける組付工程図。
【図８】従来の貯湯装置の正面図。
【図９】従来の貯湯装置のＡ−Ａ’断面図。
【図１０】従来の貯湯装置のタンク固定脚断面図。
【図１１】従来のタンク固定脚に対する圧入ナットの座面の様子を示す図。
【発明を実施するための形態】
【００１３】
次に、この発明の一実施形態の貯湯装置を図面に基づき説明する。
１は配管及び機能部品が内蔵される貯湯タンクユニット、２は貯湯タンクユニット１内部に設けられ湯水を貯湯する貯湯タンク、３は貯湯タンク２の上部に接続された出湯管、４は貯湯タンク２の下部に接続された給水管である。
【００１４】
前記貯湯タンクユニット１のユニット筐体５は、前面板６と、背面板７と、左右の側面板（図示せず）と、天板８と、底板９とから構成され、底板９よりも器具本体前面側の貯湯タンク２の頂部と底部の間の高さに位置に接続口取付板１０が設けられ、接続口取付板１０の下方を器具内側に後退させて段差凹み部１１として外部配管を接続する空間とし、その上部がオーバーハングして前面板６および左右の側面板の突出部分に囲まれた各機能部品および配管を収納する空間としているものである。
【００１５】
前記接続口取付板１０には、内部配管と外部配管とを各々接続する複数の継手１２が設けられて配管接続部１３を構成しているものである。この複数の継手１２を介して器具内部の給水管４や給湯管（図示せず）、湯張り管（図示せず）等を器具外部の配管と接続するようにしているものである。
【００１６】
１４は貯湯タンク２の底部外周に配置され、貯湯タンク２を複数箇所で支持し底板９に固定するタンク支持脚、１５は底板９の下部であってタンク支持脚１４に対応する位置に複数設けられ、貯湯タンク２を固定するタンク固定脚であり、タンク支持脚１４とタンク固定脚１５とは、タンク支持脚１４の下面とタンク固定脚１５の上面との間に底板９を挟んで、タンク支持脚１４下部に座金１６を配置し、タンク支持脚１４側から挿通するボルト１７とタンク固定脚１５に組付けられたナット１８とで締結されるものである。
【００１７】
前記タンク固定脚１５は、その上部で貯湯タンク２を固定するタンク固定面１９と、その底部でアンカーボルト（図示せず）によって地面等の設置面と固定される設置固定面２０と、タンク固定面１９と設置固定面２０とを繋ぐ脚柱面２１とを有し、前記タンク固定面１９には、ボルト１７を挿通するためのボルト挿通穴２２が形成され、前記設置固定面２０には、アンカーボルトを挿通するためのアンカーボルト挿通穴２３が形成されているものである。
【００１８】
ここで、タンク固定脚１５に組付けられるナット１８は、図４に示すように、円筒状のナット部２４と、ナット部２４よりも大径の座部２５とを備えた座付ナットで構成されており、座付ナット１８の内部はボルト１７と螺合するためのネジ切り（図示せず）がなされているものである。また、前記座部２５の外周は１対の直線形状の直線部２６と、その直線部２６と隣り合う１対の円弧形状の円弧部２７とを有しているものである。
【００１９】
前記座付ナット１８は、図５に示すように、タンク固定面１９の裏面に組付けられるものであり、タンク固定面１９の裏面には、図５及び図６に示すように、ボルト挿通穴２２から所定間隔をあけて、ボルト挿通穴２２を挟むように対面し、下方に突設した１対の直線状のビード２８が形成されると共に、ボルト挿通穴２２から所定間隔をあけて、ボルト挿通穴２２を挟むように対面し下方に突設した座付ナット１８位置決め用の１対の突起２９が形成されるものである。
【００２０】
前記ビード２８及び突起２９は、座付ナット１８を組付ける前に形成されるものであり、座付ナット１８をボルト挿通穴２２に対応した位置に配置した座付ナット１８の組付けを想定した場合に、前記ビード２８は、座付ナット１８の座部２５の直線部２６の外方で、直線部２６と接する位置または直線部２６の直近に形成され、また、前記突起２９は、座付ナット１８の座部２５の円弧部２７の外方で、円弧部２７と接する位置または円弧部２７の直近に形成されるもので、ビード２８及び突起２９は、座付ナット１８の四方を囲うようにタンク固定面１９の裏面に形成され、ボルト挿通穴２２に対する座付ナット１８の位置決めが簡易に行われるものである。
【００２１】
次に、座付ナット１８をタンク固定脚１５に組付ける工程を図７に基づいて説明すると、まず、図７（ア）に示すように、タンク固定面１９の裏面に、ボルト挿通穴２２から所定の間隔をあけて、ボルト挿通穴２２を挟むように対面し、座付ナット１８を組付ける側に突設した１対の直線状のビード２８を形成すると共に、図示されていないが、ボルト挿通穴２２から所定の間隔をあけて、ボルト挿通穴２２を挟むように対面し、座付ナット１８を組付ける側に突設した座付ナット１８位置決め用の１対の突起２９を形成し、ビード２８及び突起２９の内方にナット受け部３０を形成する。
【００２２】
続いて、図７（イ）に示すように、ナット受け部３０に対して、座部２５側がタンク固定面１９の裏面に当接するように座付ナット１８を配置する。この時、座付ナット１８の直線部２６がビード２８と対面すると共に、座付ナット１８の円弧部２７が突起２９と対面するような向きで、座付ナット１８はナット受け部３０に配置されるものである。
【００２３】
次に、図７（ウ）に示すように、座付ナット１８をタンク固定脚１５に固定する工程について説明するが、ここでは、図面上右半分のみを用いて説明する。前記ナット受け部３０に座付ナット１８を配置した後、タンク固定面１９及びタンク固定面１９の裏面及び座付ナット１８を固定するための型１、型２、型３を図７（ウ）に示すように配置し、型２と型３の間をビード２８に向かって型４をスライドさせていく。
【００２４】
そして、型４によってビード２８を押し潰して座付ナット１８の座部２５の直線部２６に密着させ、ビード２８によって座付ナット１８の座部２５を挟み込んでかしめ固定するものであるが、この時、図７（エ）に示すように、ビード２８は、座付ナット１８の直線部２６に接触する側が肉厚になるように押し潰されるものである。
【００２５】
最後に、図７（オ）に示すように、型１、型２、型３、型４を外して、タンク固定脚１５への座付ナット１８の組付け工程が完了するものである。
【００２６】
以上説明した組付け工程において、タンク固定脚１５に組付けるナットとして座付ナット１８を用いて、タンク固定面１９の裏面のボルト挿通穴２２に対応する位置に配置した座付ナット１８を、ビード２８を押し潰してかしめ固定したことで、図７（オ）に示すように、タンク固定脚１５のタンク固定面１９の裏面に密着する座面が大きく、座付ナット１８の抜けに対する強度を増加させることができ、さらに、ビード２８は座部２５の直線部２６を挟み込んでかしめ固定するので、座付ナット１８の回転方向に対する強度を増加させることができ、より強固に座付ナット１８を固定することができ、タンク固定脚１５に載置固定される貯湯タンクユニット１や貯湯タンク２の地震等による揺れに対する安全性及び安定性を向上させることができるものである。
【００２７】
また、図７（エ）、（オ）に示すように、ビード２８を座付ナット１８の直線部２６に接触する側が肉厚になるように押し潰したことで、ビード２８のより多くの面を座付ナット１８の座部２５に密着させることができ、より強固に座付ナット１８を固定でき、強度を増加させることができるものである。
【００２８】
また、座付ナット１８は、従来採用していた圧入ナットに比べて、比較的安価に購入することができるので、コストを抑えることができ経済的である。
【００２９】
なお、本発明は先に説明した一実施形態に限定されるものでなく、本実施形態では、ビード２８は、ボルト挿通穴２２から所定間隔あけて、ボルト挿通穴２２を挟むように対面して１対設けられているが、ビード２８は少なくともボルト挿通穴２２を挟むように対面していればよいものであり、ビード２８はボルト挿通穴２２から所定間隔あけた外周の全周にかけてボルト挿通穴２２を囲むように設けられていてもよく、また、ビード２８は２対またはそれ以上設けられていてもよく、対をなす場合は少なくとも１対以上あればよいものである。
【符号の説明】
【００３０】
２  貯湯タンク
１４  タンク支持脚
１５  タンク固定脚
１７  ボルト
１８  座付ナット
１９  タンク固定面
２２  ボルト挿通穴
２４  ナット部
２５  座部
２６  直線部
２８  ビード
【図１】
0005394312.tif 000002
【図２】
0005394312.tif 000003
【図３】
0005394312.tif 000004
【図４】
0005394312.tif 000005
【図５】
0005394312.tif 000006
【図６】
0005394312.tif 000007
【図７】
0005394312.tif 000008
【図８】
0005394312.tif 000009
【図９】
0005394312.tif 000010
【図１０】
0005394312.tif 000011
【図１１】
0005394312.tif 000012